(57)【要約】【課題】リセット部材の製造と組立てを簡素化して装置の信頼性を向上させる。【解決手段】本発明は、共にプレート（２）の同一側に配置設計された少なくとも一つの分及び時間カウンタ（２０、３０）と、支持面を有すると共に低位置と高位置との間で回転可能な第一及び第二のリセット部材（２３、３３、４２、４３）とを有するクロノグラフ機構に関する。各支持面は、低位置においてリセットカム（２２、３２）の周辺と協働し、高位置において対応カムから距離を隔てて配置される。この機構は高位置において、各リセット部材を保持するための保持手段（４８、５０、６０）を有しており、第一のリセット部材（４２）に直接作用すると共にユーザによる作用に応じて開放可能である第一の保持手段（４８、５０）と、第二のリセット部材（４３）に直接作用すると共に低位置の方向への第一のリセット部材（４２）の回転に応じて開放可能である第二の保持手段（６０）とを有している。【選択図】図１
2009150888.tif 000002
【特許請求の範囲】
【請求項１】
ブリッジ側とダイヤル側とを有する時計ムーブメント（１）のプレート（２）に取付けられるように設計されたクロノグラフ機構であって、
プレートの同一の側に共に配置されるように設計された分カウンタ（２０）および時間カウンタ（３０）と、
第一および第二のリセット部材（２３、３３、４２、４３）と、
前記各リセット部材を高位置に保持するための保持手段（４８、５０、６０）と、
前記保持手段を開放しようとするユーザによる作用に応じてそれぞれの低位置に向かって前記リセット部材を回転させるように配置された弾性手段（５３、６２）と、を有し、
前記第一および第二のリセット部材（２３、３３、４２、４３）はそれぞれ、支持面を有するとともに低位置と高位置との間でプレートに対して回転可能に取付けられるように設計されており、各支持面は、低位置において前記カウンタの一つのリセットカム（２２、３２）の周辺と協働し、高位置において前記対応するカムから距離を隔てて配置されており、
前記保持手段は、前記リセット部材（２３、４２）の第一に直接作用するとともにユーザによる作用に応じて開放可能である第一の保持手段（４８、５０）と、前記リセット部材（３３、４３）の第二に直接作用するとともに前記第一のリセット部材の回転に応じてその低位置の方向に開放可能である第二の保持部材（６０）とを有することを特徴とする、機構。
【請求項２】
前記第一のリセット部材（２３、４２）は第一の回転軸（Ｘ１）の周りを回転し、一方、前記第二のリセット部材は、前記第一の回転軸と異なる第二の回転軸（Ｘ２）の周りを回転することを特徴とする、請求項１に記載の機構。
【請求項３】
前記第二の保持手段は、リフティングレバー（６０）であり、このリフティングレバー（６０）は、前記第一および第二の回転軸（Ｘ１、Ｘ２）とは異なる第三の回転軸の周りで回転可能であるとともに、第一の自由端と第二の自由端とを有しており、この第一の自由端は前記第一のリセット部材（４２）のコントロール面（５９）と協働するように配置され、この第二の自由端は前記第二のリセット部材（４３）の支持面（６１）と協働するように配置されていることを特徴とする、請求項２に記載の機構。
【請求項４】
さらに、ユーザによる反復行為に応じて段階的に回転するとともに、前記リセット部材（２３、３３、４２、４３）に対して異なる少なくとも一つの第一および第二の配置を有するように配置された回転可能なコントロール部材（３）を有し、
前記コントロール部材は、リセット部材を前記第一の配置から前記第二の配置へ移行させることによって、リセット部材をそれらの各低位置から各高位置へと回転させるように、前記各リセット部材に作用することが可能なように配置されることを特徴とする、請求項１から３のいずれか一項に記載の機構。
【請求項５】
前記回転可能なコントロール部材は、前記第一のリセット部材（４２）の第一ラグ（６４）および前記第二のリセット部材（４３）の第二ラグ（６５）に協働可能な複数のコラムを有するコラムホイール（３）であることを特徴とする、請求項４に記載の機構。
【請求項６】
前記第一および第二ラグ（６４、６５）のそれぞれは、前記第一および第二のリセット部材（４２、４３）がそれぞれ低位置にあるときに、前記コラムの二つの間に配置されることを特徴とする、請求項５に記載の機構。
【請求項７】
時計ムーブメントに一体化されていることを特徴とする、請求項１から６のいずれか一項に記載の機構。
【請求項８】
請求項１から７のいずれか一項に記載のクロノグラフ機構を駆動するように設計された作動中の列を有する時計ムーブメント（１）。
【請求項９】
請求項１から８のいずれか一項に記載のクロノグラフ機構を収容するケースを有する時計。
【請求項１０】
請求項４から６のいずれか一項に記載のクロノグラフ機構を収容するとともに、前記回転可能なコントロール部材（３）の回転部材をコントロールするように配置された第一の外部コントロール部材および前記保持手段（４８、５０、６０）を開放するように配置された第二の外部コントロール部材とを有するケースを備えた時計。
【発明の詳細な説明】
【技術分野】
【０００１】
本発明は、機械式或いは自動式の時計ムーブメントのためのクロノグラフ機構に関する。特に、本発明は、ブリッジ側およびダイヤル側を有する時計ムーブメントのプレート上に取付けられるように設計された機構に関しており、ともにプレートの同一の側に配置されるように設計された分カウンタおよび時間カウンタを有している。
【０００２】
この機構は、さらに、第一および第二のリセット部材を有しており、それぞれが支持面を有しているとともに、低位置と高位置との間でプレートに対して回転可能に取付けられるように設計される。この低位置では、各支持面はカウンタの一つのリセットカム周辺と協働し、高位置では、各支持面は対応するカムからある距離を隔てて配置される。クロノグラフ機構は、さらに、各リセット部材を高位置に保持するための保持手段と、保持手段を開放しようとするユーザによる作用に応じて、リセット部材をそれぞれの低位置へと回転させるように配置された弾性部材とを有している。
【背景技術】
【０００３】
そのようなクロノグラフ機構は、例えば、欧州特許第０，７７２，１０４Ｂ１号（ＥＰ０，７７２，１０４Ｂ１）に記載されており、モントレスロレックスエス．エイ．の名前で登録されている。特に、この文献は、互いに全て一体化されているとともに、秒カウンタ或いはクロノグラフカウンタ、分カウンタおよび時間カウンタに作用するように設計された三つのリセット部材の使用について開示している。このリセット部材の位置を三つの支持面に調整するためのシステムが、カムの支持面の動作を調整するために提供されている。
【０００４】
しかしながら、これらの調整システムがあるにもかかわらず、リセット部材の位置調整は、非常に微妙な操作であり、この時計を製造する上で高度な精密さが要求されるとともに、機構を組み立てる間において不可欠な機械加工も必要とされる。これは、カウンタによって駆動される表示部材が、精度良くかつ同時に初期位置に戻るように、これらの支持面は、一方では互いに精密に配置されることが不可欠であり、他方では対応するリセットカムに対してそれぞれ、精密に配置されることが不可欠だからである。
【特許文献１】欧州特許第０，７７２，１０４Ｂ１号明細書
【発明の開示】
【発明が解決しようとする課題】
【０００５】
本発明の主目的は、従来技術から知られたリセット部材の製造および組み立てを簡素化することである。本発明のさらなる目的は、従来技術の装置の信頼性を向上させることであり、特に、調整の観点における、長期間にわたる耐久性および使用中における耐久性を向上させることである。
【課題を解決するための手段】
【０００６】
この目的のために、本発明は、上述した型のクロノグラフ機構に関し、保持手段が、リセット部材の第一に直接作用するとともにユーザによる作用に応じて開放可能な第一の保持手段と、第一のリセット部材の低位置の方向への回転に応じてリセット部材の第二に直接作用する第二の保持手段とを有することを特徴としている。
【０００７】
一つの好適な実施態様によれば、第一のリセット部材は第一の回転軸の周りを回転し、一方、第二のリセット部材は、第一の回転軸と異なる第二の回転軸の周りを回転する。そして、第二の保持部材はリフティングレバーであることが望ましく、このリフティングレバーは、第一および第二の回転軸とは異なる第三の回転軸の周りを回転可能であるとともに、第一の自由端と第二の自由端とを有している。この第一の自由端は、第一のリセット部材のコントロール面と協働するように配置され、第二の自由端は第二のリセット部材の支持面と協働するように配置されている。
【０００８】
さらに、有利であることは、この機構が回転可能なコントロール部材を有していることである。この回転可能なコントロール部材は、ユーザによる反復行為に応じて段階的に回転するとともに、リセット部材に対して、異なる少なくとも一つの第一および一つの第二の配置を有するように配置される。この回転可能なコントロール部材は、リセット部材を前記第一の配置から前記第二の配置へ移行させることによって、リセット部材をそれらの各低位置から各高位置へと回転させるように、前記各リセット部材に作用することが可能なように配置される。
【０００９】
本発明は、時計機構および上述した型の機構を有する時計にも関する。
【００１０】
本発明の他の特徴および利点は、制限を意図しない例によって与えられる添付の図に関連して与えられる以下の詳細な記載を読むことによって、さらに明確になるであろう。
【発明を実施するための最良の形態】
【００１１】
図１から３は、本発明にしたがったクロノグラフ機構を有するムーブメント１の部分のダイヤル側の簡略化された平面図であり、それぞれ第一、第二および第三の配置を示しており、これらはそれぞれ、停止、作動中およびリセット状態を示している。
【００１２】
明らかなことは、このムーブメントが限定を意図しない例によって示されているということであり、当業者は、本発明の範囲から逸脱しないで、このムーブメントをブリッジ側に配置されたクロノグラフ機構に適応させることによって、本発明の主題を実行することができるということである。
【００１３】
このムーブメント１は、フレーム要素を有しており、特にプレート２を含んでいる。このプレート２上に、運動要素、レバー、ロッカーおよび他の時計要素が取付けられ、この内クロノグラフ機構に関連した要素のみが、本文において詳細に記載される。
【００１４】
クロノグラフ機構は、クロノグラフカウンタ１０、分カウンタ２０および時間カウンタ３０を有している。
【００１５】
これらの各カウンタは、運動要素（この内、一つのホイール１１、２１、３１が図示されている）を有している。この運動要素は、時間基準（time base）（作動中の列（going train）の時間基準、或いは、クロノグラフに特有の時間基準）に関連して駆動されるように設計されているとともに、測定された時間を表示するための回転部材（図示されず）を駆動するように配置される。
【００１６】
各カウンタは、さらにハート型カム１２、２２、３２を有している。このハート型カムは、対応する表示部材と一体で回転するとともに、以下で詳細に記載されるリセット部材と協働するように設計される。
【００１７】
クロノグラフ機構は、コラムホイール３を有するタイプである。コラムホイール３は、コントロールロッド５と一体のフック４によって自身の回りに回転駆動可能であり、その変位は従来方法によるプッシュボタン（図示されず）から制御可能となっている。
【００１８】
プッシュボタンを押す度に、コラムホイール３は一段階だけ回転し、これによってクロノグラフ機能は停止状態（図１）から作動状態（図２）に、およびその逆に移行させることができる。この目的のために、固体（コラム）と間隙（solids and voids）との交互配列は、時間間隔の測定に関連した機能を作動或いは作動停止させるように、異なるロッカーに作用する。
【００１９】
コラムホイールは、特にクラッチレバー６と協働する。このクラッチレバー６は、クラッチ設定ホイール７を支持するとともに、第一の位置すなわち静止位置（図１）と第二の位置すなわち駆動位置との間でプレート上を回転するように取付けられる。第二の位置すなわち駆動位置（図２）において、クラッチレバー６は、クラッチ設定ホイールと噛合し或いは噛合しないクロノグラフホイール１１を介して、クロノグラフ列を作動中の列（図示されず）から駆動する。
【００２０】
作動中の時間要素３１を、例えば第三のホイールから駆動させるために、追加のクラッチレバー（図示されず）を備えてもよい。一方、分カウンタ２０は、秒カウンタから従来方法で駆動されるのが好ましい。
【００２１】
コラムホイール３は、さらに、ブロッキング要素４１に作用するレバー４０と協働する。このブロッキング要素４１の機能は、通常、時間の測定が中断されたときに（図１）、クロノグラフホイール１１の角度位置を保持することである。
【００２２】
クロノグラフ機構は、さらにリセット部材を有する。このリセット部材は、測定が中断されたとき、それぞれの静止位置において測定された時間を表示するための部材を位置合わせすることを可能にする。
【００２３】
リセット部材は、クロノグラフカウンタ、分カウンタおよび時間カウンタをリセットするためのハンマー１３、２３、３３を有しており、秒および分ハンマーは第一の回転軸Ｘ１の周りをプレート上で回転するために取付けられる同一のレバー４２と一体である。時間ハンマー３３は、第二の回転軸Ｘ２の周りをプレート上で回転するために取付けられる別個のレバー４３に支持される。
【００２４】
このように、各ハンマー１３、２３、３３は、低位置と高位置との間でプレートに関して回転可能である。この低位置において、各ハンマーは、対応するハート型カム１２、２２、３２の周辺と協働して、クロノグラフカウンタ（図３）をリセットするためにカムに圧力を加える。そして、高位置においては、各ハンマーは、ハート型カムからある距離を隔てて配置されており、これは、時間間隔の測定が進行中のとき、或いはクロノグラフ機能が全く停止しているときのいずれかの場合である（それぞれ、図２および図１に対応している）。
【００２５】
リセット部材は、さらに、第一の端４６を有するリセットコントロールロッド４５を有している。このリセットコントロールロッド４５は、四時の位置に合わせられるとともに、ハンマー１３および２３を、対応するハート型カムに対して下降させるための外部リセットコントロール部材（図示されず）と協働するように設計される。このコントロールロッド４５は、レバー４２と一体のピン５０と協働するノッチ４８を備えた第二の端４７を有している。
【００２６】
このノッチ４８の機能は、時間の測定が進行中か或いはユーザによって容易に停止されたときに、ハンマーを高位置に維持或いは保持することである。リターンスプリング５２の動作とは反対に、外部のリセット部材の押下は、ピン５０を開放するとともにストレートスプリング５３の動作の影響下でハンマー１３および２３を下降させる効果を有する（図３に示されている）。このストレートスプリング５３の自由端は、レバー４２と一体であるとともに回転軸Ｘ１の近傍に配置されたピン５４に力を及ぼす。
【００２７】
レバー４２は、さらに、ハンマー１３がハート型カム１２の周辺と接触するときに、レバー４０と協働してクロノグラフホイール１１のブロッキング要素４１を上昇させるように配置された第一のラグ５６を有している。
【００２８】
さらに、レバー４２はダブルラグ５８を有しており、このダブルラグ５８の第一の自由端５９は、時間カウンタのハンマー３３の高位置において保持部材と協働するコントロール面を規定している。この保持部材は、ほぼＶ型であるとともに第三の回転軸Ｘ３の周りでプレート上を回転するように取付けられたリフティングレバー６０である。
【００２９】
リフティングレバーは、その二つのブランチのうちの第一ブランチによってダブルラグ５８の自由端５９と協働する一方、リフティングレバーはその第二ブランチによって、支持面を規定しているレバー４３のラグ６１とも協働し、その結果、クロノグラフカウンタおよび分カウンタのハンマー１３、２３が高位置にあるときに、時間カウンタのハンマー３３を高位置に保持する。
【００３０】
このように、リセットが作動しないとき（図１および２）、リフティングレバー６０は、ハンマー３３を低位置の方向に回転させるために、レバー４３に及ぼすリターンスプリング６２の力に対向する。ハンマー１３および２３が下降すると、それらのハンマーはリフティングレバーを開放し、リターンスプリング６２によって及ぼされる力の影響下でハンマー３３の低位置の方向に駆動されるレバー４３を順に開放する。
【００３１】
留意されることは、リフティングレバーは第一ブランチに形成された小さな凹部６３を有しており、保持位置の安定性とさらにリセット操作中に関連する運動学の可変性とを改善するということである。
【００３２】
さらに、レバー４２のダブルラグ５８は、コラムホイール３のコラムと協働するように配置された第二の自由端６４を有している。同様に、レバー４３は、コラムホイール３のコラムとも協働するように設計された第二のラグ６５を有している。
【００３３】
図２に示された配置において、つまり、測定が進行中のとき、一つのコラムは自由端６４の向かいに配置され、もう一つのコラムはラグ６５の向かいに配置される。その結果、ハンマーはコラムホイールによって高位置にロックされるのでリセットは作動され得ない。クロノグラフが、コラムホイール３を一段階だけ回転することによって停止されるとき（図１）、コラムホイールの間隙（voids）は自由端６４およびラグ６５の向かいに位置合わせされる。その後、リセット手段の保持手段のみが、ハンマーを高位置に保持させる。
【００３４】
外部のリセット部材の押下によって、リフティングレバー６０を介してレバー４３を開放するレバー４２を開放し、その結果、クロノグラフのカウンタをリセットする。
【００３５】
コントロールロッド５に及ぼすプッシュボタンをもう一回押下すると、コラムホイール３の回転を引き起こす効果が発生する。このコラムホイール３の第一コラムは、ピン５０がノッチ４８の内側に再び位置合わせられるまで、自由端６４を介してレバー４２を上昇させ、ラグ６５を介してレバー４３を上昇させる。その後、ハンマー１３、２３、３３は、保持手段によって、再び高位置にロックされる。同時に、ダブルラグ５８の第一の自由端５９は、レバー４２の動作に続いて、リフティングレバー６０の凹部６３に、自身を再び位置合わせする。
【００３６】
上記から明らかなことは、リフティングレバー６０は、異なるクロノグラフカウンタに及ぼすための二つの個別のレバーを提供することを有利にも可能としているということである。その結果、クロノグラフ機構の設計において、特にカウンタの取付け位置の選択において、より大きな自由度が得られるだけでなく、カウンタの組み立てを容易にする。これは、リセットハンマーを有する各レバーが、関連するハート型カムの位置に関して、他方に独立して調整可能だからである。
【００３７】
上記記載は、制限を意図しない例によって、一つの特定の実施態様を記載しており、本発明は、例えば、一体化されたクロノグラフ機構を使用することに限定されず、モジュラー型のクロノグラフ機構に関しても使用可能であろう。同様に、当業者であれば、例えば、本発明の範囲から逸脱せずに、上記教示をフライバック型機構の実施に適応させることができるであろう。本発明は、さらに、異なるクロノグラフカウンタの駆動に関して示された設計に限定されることなく、当業者は自身の要求に適した変形を提供することができるであろう。
【図面の簡単な説明】
【００３８】
【図１】本発明の一つの好適な実施態様にしたがったクロノグラフ機構を有する時計ムーブメントの簡略化された平面図を示しており、第一の配置として示されている。
【図２】図１と同様な図を示しており、クロノグラフ機構は第二の配置として示されている。
【図３】図１と同様な図を示しており、クロノグラフ機構は第三の配置として示されている。
【符号の説明】
【００３９】
１     ムーブメント
２     プレート
３     コラムホイール
１０   クロノグラフカウンタ
１２   ハート型カム
２０   分カウンタ
２２   ハート型カム
２３   ハンマー
３０   時間カウンタ
３２   ハート型カム
３３   ハンマー
４２   レバー
４３   レバー
４８   ノッチ
５０   ピン
５３   ストレートスプリング
５９   自由端
６０   リフティングレバー
６１   ラグ
６２   リターンスプリング
６４   自由端
６５   ラグ
【図１】
2009150888.tif 000003
【図２】
2009150888.tif 000004
【図３】
2009150888.tif 000005